(57)【要約】【課題】携帯端末によりクーポンのサービスを受けるまでの処理を極めて簡素化することができるようにする。【解決手段】携帯端末としての携帯電話１０により、放送／送出システム３０からのクーポン情報付きデータ放送を受信してクーポン情報を取得し、店舗システム４０で通信によりクーポン情報を渡すことでそのクーポン情報の利用が可能となるようにした。すなわち、消費者は、クーポン情報をダウンロードするインターネットサイトへアクセスするまでの通信や、クーポン情報をダウンロードするための通信を行わずに、携帯電話１０で地上デジタル放送を視聴するだけで、携帯電話１０の電子決済等で利用する記憶領域に直接書き込み可能なクーポンデータを取得でき、複雑の処理手順を踏まなくてもクーポンのサービスを極めて簡単に受けられるようにした。【選択図】図１
2007249342.tif 000002
【特許請求の範囲】
【請求項１】
クーポン情報を配布するクーポン配布システムであって、
前記クーポン情報の配布を受ける携帯端末と、
前記クーポン情報の配布を管理するクーポン管理サーバと、
クーポン情報付きデータ放送を行う放送／送出システムと、
前記携帯端末からのクーポン情報の利用管理を行う店舗システムとを備え、
前記携帯端末は、
地上デジタル放送を受信する受信手段と、
前記地上デジタル放送のデータ放送に付加されたクーポン情報の中から、取得を希望するクーポン情報を受け付け、該クーポン情報のクーポン識別子とそれに対応する放送識別子とを保持する手段とを有し、
前記クーポン管理サーバは、
前記クーポン情報付きデータ放送の放送スケジュールとクーポン情報との関連付けを保持する手段と、
前記関連付けされた情報を前記放送／送出システムに送信する手段とを有し、
前記店舗システムは、
前記携帯端末と通信を行い前記クーポン情報を受け取る通信手段と、
受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知する手段とを有する
ことを特徴とするクーポン配布システム。
【請求項２】
前記携帯端末は、
前記放送／送出システムから受信したデータ放送のクーポン情報が記憶されるデータ放送記憶手段と、
携帯端末識別子を保持する携帯端末識別子保持手段と、
記憶されたクーポン情報から取得の希望があったものをクーポン識別子で記憶するクーポン記憶手段とを有し、
前記店舗システムに前記携帯端末識別子と前記クーポン識別子とが送信される
ことを特徴とする請求項１に記載のクーポン配布システム。
【請求項３】
前記クーポン管理サーバは、前記店舗システムからの少なくとも前記クーポン情報が利用されたことの通知を基に、該クーポン情報の利用実績を保持する利用実績保持手段を有することを特徴とする請求項１又は２に記載のクーポン配布システム。
【請求項４】
クーポン情報の配布を管理するクーポン管理サーバであって、
携帯端末に対してデータ放送を行う放送／送出システムにおけるクーポン情報付きデータ放送の放送スケジュールとクーポン情報との関連付けを保持する手段と、
前記関連付けされた情報を前記放送／送出システムに送信する手段とを有する
ことを特徴とするクーポン管理サーバ。
【請求項５】
前記携帯端末と通信を行い前記クーポン情報を受け取り、該受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知する店舗システムからの少なくとも前記クーポン情報が利用されたことの通知を基に、該クーポン情報の利用実績を保持する利用実績保持手段を有することを特徴とする請求項４に記載のクーポン管理サーバ。
【請求項６】
クーポン情報を配布するクーポン配布方法であって、
携帯端末により、前記クーポン情報の配布を受けるステップと、
クーポン管理サーバにより、前記クーポン情報の配布を管理するステップと、
放送／送出システムにより、クーポン情報付きデータ放送を行うステップと、
店舗システムにより、前記携帯端末からのクーポン情報の利用管理を行うステップとを有し、
さらに、前記携帯端末は、
地上デジタル放送を受信するステップと、
前記地上デジタル放送のデータ放送に付加されたクーポン情報の中から、取得を希望するクーポン情報を受け付け、該クーポン情報のクーポン識別子とそれに対応する放送識別子とを保持するステップとを有し、
前記クーポン管理サーバは、
前記クーポン情報付きデータ放送の放送スケジュールとクーポン情報との関連付けを保持するステップと、
前記関連付けされた情報を前記放送／送出システムに送信するステップとを有し、
前記店舗システムは、
前記携帯端末と通信を行い前記クーポン情報を受け取るステップと、
受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知するステップとを有する
ことを特徴とするクーポン配布方法。
【請求項７】
前記携帯端末は、
前記放送／送出システムから受信したデータ放送のクーポン情報が記憶されるステップと、
携帯端末識別子を保持するステップと、
記憶されたクーポン情報から取得の希望があったものをクーポン識別子で記憶するステップとを有し、
前記店舗システムに前記携帯端末識別子と前記クーポン識別子とが送信される
ことを特徴とする請求項６に記載のクーポン配布方法。
【請求項８】
前記クーポン管理サーバは、前記店舗システムからの少なくとも前記クーポン情報が利用されたことの通知を基に、該クーポン情報の利用実績を保持するステップを有することを特徴とする請求項６又は７に記載のクーポン配布方法。
【請求項９】
クーポン情報を配布するクーポン配布方法を実行するクーポン配布プログラムであって、
携帯端末により、前記クーポン情報の配布を受けるステップと、
クーポン管理サーバにより、前記クーポン情報の配布を管理するステップと、
放送／送出システムにより、クーポン情報付きデータ放送を行うステップと、
店舗システムにより、前記携帯端末からのクーポン情報の利用管理を行うステップとを有し、
さらに、前記携帯端末は、
地上デジタル放送を受信するステップと、
前記地上デジタル放送のデータ放送に付加されたクーポン情報の中から、取得を希望するクーポン情報を受け付け、該クーポン情報のクーポン識別子とそれに対応する放送識別子とを保持するステップとを有し、
前記クーポン管理サーバは、
前記クーポン情報付きデータ放送の放送スケジュールとクーポン情報との関連付けを保持するステップと、
前記関連付けされた情報を前記放送／送出システムに送信するステップとを有し、
前記店舗システムは、
前記携帯端末と通信を行い前記クーポン情報を受け取るステップと、
受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知するステップとを有する
ことを特徴とするクーポン配布プログラム。
【請求項１０】
前記携帯端末は、
前記放送／送出システムから受信したデータ放送のクーポン情報が記憶されるステップと、
携帯端末識別子を保持するステップと、
記憶されたクーポン情報から取得の希望があったものをクーポン識別子で記憶するステップとを有し、
前記店舗システムに前記携帯端末識別子と前記クーポン識別子とが送信される
ことを特徴とする請求項９に記載のクーポン配布プログラム。
【請求項１１】
前記クーポン管理サーバは、前記店舗システムからの少なくとも前記クーポン情報が利用されたことの通知を基に、該クーポン情報の利用実績を保持するステップを有することを特徴とする請求項９又は１０に記載のクーポン配布プログラム。
【請求項１２】
請求項９〜１１のいずれかに記載のクーポン配布プログラムが記録されていることを特徴とする記録媒体。
【発明の詳細な説明】
【技術分野】
【０００１】
本発明は、地上デジタル放送の電波を通して不特定多数の消費者にクーポン配布を行うクーポン配布システム、クーポン管理サーバ、クーポン配布方法、クーポン配布プログラム及び記録媒体に関する。
【背景技術】
【０００２】
従来より、携帯端末である携帯電話へのクーポン配布においては、メール広告を含ませた電子メールを利用し、インターネット等の通信回線からクーポンをダウンロードさせる方式がとられている。ところが、このような電子メールによる方式では、携帯電話のあて先（メールアドレス等）情報がないと、メール広告を送信できず、クーポン配布を行うことができない。たとえ、携帯電話にメール広告を送信できたとしても、クーポン配布は携帯電話によるダウンロードにより行われるため、通信費用が生じてしまう。
【０００３】
このような不具合を解消するようにしたものとして、特許文献１では、店舗からのクーポンデータの作成依頼を受けたサーバコンピュータによりクーポンデータが作成され、そのクーポンデータが携帯端末に送信され、そのクーポンデータを保持した携帯端末を店舗のＰＯＳレジスタ、或いはクーポン発行機に送信し、クーポンのサービスを受けるようにしたデータ送受信システムを提案している。
【０００４】
また、特許文献２では、放送局からデジタルＴＶ（デジタルテレビ）に放送されるデジタルＴＶ放送に含まれるデータ放送で提示されるチケット情報に基づき所望のチケットを選択し、この選択したチケットに対応するチケットデータを放送局に接続される応答サーバから取得して、この取得したチケットデータをメモリカードに格納し、このメモリカードを携帯電話機に挿入することでチケットを購入し、このメモリカードを挿入した携帯電話機をチケットとして使用するようにした携帯電話機を提案している。
【特許文献１】特開２００２−２０７９０７号公報
【特許文献２】特開２００２−１０９１１５号公報
【発明の開示】
【発明が解決しようとする課題】
【０００５】
ところが、上述した特許文献１に示されているシステムでは、クーポンのサービスを受けるに際し、一旦、ユーザのコンピュータからサーバコンピュータにアクセスしてクーポンデータを受信し、さらにその受信したクーポンデータを携帯端末に無線で送信する必要があり、携帯端末によってクーポンのサービスを受けるまでの処理が煩雑であるばかりか、ユーザのコンピュータからサーバコンピュータにアクセスしなければクーポンのサービスを受けることができないといった問題があった。
【０００６】
一方、上述した特許文献２では、放送局からのデジタルＴＶ放送に含まれるデータ放送で提示されるチケット情報に基づき所望のチケットを選択することができるが、その選択したチケットに対応するチケットデータを放送局に接続される応答サーバから取得し、その取得したチケットデータをメモリカードに格納し、そのメモリカードを携帯電話機に挿入することで携帯電話機をチケットとして使用するようにしているため、上記同様に、携帯電話機をチケットとして使用するまでの処理が煩雑であるばかりか、デジタルＴＶから応答サーバにアクセスしなければチケットを得ることができないといった問題があった。
【０００７】
本発明は、このような状況に鑑みてなされたものであり、上記問題点を解決することができる携帯端末管理システム及び携帯電話管理方法を提供することを目的とする。
【課題を解決するための手段】
【０００８】
本発明のクーポン配布システムは、クーポン情報を配布するクーポン配布システムであって、前記クーポン情報の配布を受ける携帯端末と、前記クーポン情報の配布を管理するクーポン管理サーバと、クーポン情報付きデータ放送を行う放送／送出システムと、前記携帯端末からのクーポン情報の利用管理を行う店舗システムとを備え、前記携帯端末は、地上デジタル放送を受信する受信手段と、前記地上デジタル放送のデータ放送に付加されたクーポン情報の中から、取得を希望するクーポン情報を受け付け、該クーポン情報のクーポン識別子とそれに対応する放送識別子とを保持する手段とを有し、前記クーポン管理サーバは、前記クーポン情報付きデータ放送の放送スケジュールとクーポン情報との関連付けを保持する手段と、前記関連付けされた情報を前記放送／送出システムに送信する手段とを有し、前記店舗システムは、前記携帯端末と通信を行い前記クーポン情報を受け取る通信手段と、受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知する手段とを有することを特徴とする。
また、前記携帯端末は、前記放送／送出システムから受信したデータ放送のクーポン情報が記憶されるデータ放送記憶手段と、携帯端末識別子を保持する携帯端末識別子保持手段と、記憶されたクーポン情報から取得の希望があったものをクーポン識別子で記憶するクーポン記憶手段とを有し、前記店舗システムに前記携帯端末識別子と前記クーポン識別子とが送信されるようにすることができる。
また、前記クーポン管理サーバは、前記店舗システムからの少なくとも前記クーポン情報が利用されたことの通知を基に、該クーポン情報の利用実績を保持する利用実績保持手段を有するようにすることができる。
本発明のクーポン管理サーバは、クーポン情報の配布を管理するクーポン管理サーバであって、携帯端末に対してデータ放送を行う放送／送出システムにおけるクーポン情報付きデータ放送の放送スケジュールとクーポン情報との関連付けを保持する手段と、前記関連付けされた情報を前記放送／送出システムに送信する手段とを有することを特徴とする。
また、前記携帯端末と通信を行い前記クーポン情報を受け取り、該受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知する店舗システムからの少なくとも前記クーポン情報が利用されたことの通知を基に、該クーポン情報の利用実績を保持する利用実績保持手段を有するようにすることができる。
本発明のクーポン配布方法は、クーポン情報を配布するクーポン配布方法であって、携帯端末により、前記クーポン情報の配布を受けるステップと、クーポン管理サーバにより、前記クーポン情報の配布を管理するステップと、放送／送出システムにより、クーポン情報付きデータ放送を行うステップと、店舗システムにより、前記携帯端末からのクーポン情報の利用管理を行うステップとを有し、さらに、前記携帯端末は、地上デジタル放送を受信するステップと、前記地上デジタル放送のデータ放送に付加されたクーポン情報の中から、取得を希望するクーポン情報を受け付け、該クーポン情報のクーポン識別子とそれに対応する放送識別子とを保持するステップとを有し、前記クーポン管理サーバは、前記クーポン情報付きデータ放送の放送スケジュールとクーポン情報との関連付けを保持するステップと、前記関連付けされた情報を前記放送／送出システムに送信するステップとを有し、前記店舗システムは、前記携帯端末と通信を行い前記クーポン情報を受け取るステップと、受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知するステップとを有することを特徴とする。
また、前記携帯端末は、前記放送／送出システムから受信したデータ放送のクーポン情報が記憶されるステップと、携帯端末識別子を保持するステップと、記憶されたクーポン情報から取得の希望があったものをクーポン識別子で記憶するステップとを有し、前記店舗システムに前記携帯端末識別子と前記クーポン識別子とが送信されるようにすることができる。
また、前記クーポン管理サーバは、前記店舗システムからの少なくとも前記クーポン情報が利用されたことの通知を基に、該クーポン情報の利用実績を保持するステップを有するようにすることができる。
本発明のクーポン配布プログラムは、クーポン情報を配布するクーポン配布方法を実行するクーポン配布プログラムであって、携帯端末により、前記クーポン情報の配布を受けるステップと、クーポン管理サーバにより、前記クーポン情報の配布を管理するステップと、放送／送出システムにより、クーポン情報付きデータ放送を行うステップと、店舗システムにより、前記携帯端末からのクーポン情報の利用管理を行うステップとを有し、さらに、前記携帯端末は、地上デジタル放送を受信するステップと、前記地上デジタル放送のデータ放送に付加されたクーポン情報の中から、取得を希望するクーポン情報を受け付け、該クーポン情報のクーポン識別子とそれに対応する放送識別子とを保持するステップとを有し、前記クーポン管理サーバは、前記クーポン情報付きデータ放送の放送スケジュールとクーポン情報との関連付けを保持するステップと、前記関連付けされた情報を前記放送／送出システムに送信するステップとを有し、前記店舗システムは、前記携帯端末と通信を行い前記クーポン情報を受け取るステップと、受け取った前記クーポン情報が利用可能か否かを判断し、利用可能である場合はそのクーポン情報の利用を受け付け、前記携帯端末に該クーポン情報を使用済みに更新する要求を出し、前記電子クーポン管理サーバに該クーポン情報が利用されたことを通知するステップとを有することを特徴とする。
また、前記携帯端末は、前記放送／送出システムから受信したデータ放送のクーポン情報が記憶されるステップと、携帯端末識別子を保持するステップと、記憶されたクーポン情報から取得の希望があったものをクーポン識別子で記憶するステップとを有し、前記店舗システムに前記携帯端末識別子と前記クーポン識別子とが送信されるようにすることができる。
また、前記クーポン管理サーバは、前記店舗システムからの少なくとも前記クーポン情報が利用されたことの通知を基に、該クーポン情報の利用実績を保持するステップを有するようにすることができる。
本発明の記録媒体は、請求項９〜１１のいずれかに記載のクーポン配布プログラムが記録されていることを特徴とする。
本発明では、携帯端末により、放送／送出システムからのクーポン情報付きデータ放送を受信してクーポン情報を取得し、店舗システムで通信によりクーポン情報を渡すと、そのクーポン情報が利用可能か否かが判断され、利用可能である場合はそのクーポン情報の利用が受け付けられ、そのクーポン情報が使用済みに更新されるとともに、電子クーポン管理サーバにクーポン情報が利用されたことの通知が行われる。
【発明の効果】
【０００９】
本発明によれば、携帯端末により、放送／送出システムからのクーポン情報付きデータ放送を受信してクーポン情報を取得し、店舗システムで通信によりクーポン情報を渡すことでそのクーポン情報の利用が可能となるようにしたので、クーポンのサービスを受けるまでの処理を極めて簡素化することができる。
【発明を実施するための最良の形態】
【００１０】
本実施形態では、図１１に示すように、クーポン配布からクーポン利用までの過程は丸付き数字の１〜６，８，９で示す手順がとられる。すなわち、電子クーポン管理サーバ２０で管理するクーポンデータを、放送局の放送／送出システム３０から発する携帯機器向け地上デジタル放送の電波で配布する。消費者は、携帯機器向け地上デジタル放送受信機能を備えた携帯電話１０で、クーポンデータ付き地上デジタル放送を受信し、放送映像等を視聴すると同時に、データ放送の表示部に表示されたクーポン一覧を閲覧することが可能になる。
【００１１】
クーポン一覧の中からクーポンを選択すると、携帯電話１０に内蔵された電子クーポン利用プログラムによって、電子決済等で利用される記憶領域にクーポンデータを直接書き込むことが可能になる。これにより、消費者がこれまでクーポンを入手するために複数のインターネットサイトを経由し、なおかつクーポン情報をダウンロードしていたために発生した作業や通信が不要になる。
【００１２】
また、店舗において、消費者が代金支払時等に、ＰＯＳ等の店舗システム４０に携帯電話１０をかざすと、店舗システム４０の購買管理プログラムが携帯電話１０のクーポン情報を読み取り、クーポン情報に応じた割引等のサービスは提供することが可能になる
【００１３】
これら一連のクーポン放送の管理、消費者のクーポン取得状況及び店舗でのクーポン利用実績等収集を、電子クーポン管理サーバ２０の電子クーポン管理プログラムが通信路を通じて行う。収集した結果から放送の広告効果やクーポンの販売促進効果を把握することが可能になる。
【００１４】
なお、図１１の丸付き数字の７においては、携帯電話１０からデータ放送のクーポンデータを取得する都度、クーポン取得通知が電子クーポン管理サーバ２０に自動で送信されるようにしてもよい場合を例示したものであり、この場合には、電子クーポン管理サーバ２０側でデータ放送毎の視聴者数を把握することが可能となる。
【実施例】
【００１５】
以下、本発明の実施例の詳細について説明する。
【００１６】
図１は、本発明のクーポン配布システムの一実施例を示す図である。なお、以下に示す図においては、消費者が、帯電話で地上デジタル放送を視聴し、コンビニエンスストアで利用できるクーポンを取得し、店舗でクーポンを利用する場合で説明する。
【００１７】
同図に示すように、クーポン配布システムは、携帯電話１０、電子クーポン管理サーバ２０、放送／送出システム３０、店舗システム４０を備えている。また、携帯電話１０と電子クーポン管理サーバ２０とは、通信路５０を介して接続されている。電子クーポン管理サーバ２０と放送／送出システム３０とは通信路６０を介して接続されている。電子クーポン管理サーバ２０と店舗システム４０とは通信路７０を介して接続されている。
【００１８】
携帯電話１０は、受信器１１、電子クーポン利用プログラム保持部１２、表示部１３、入力部１４、データ放送記憶部１５、携帯電話ＩＤ保持部１６、クーポン記憶部１７、通信部１８を備えている。
【００１９】
受信器１１は、地上デジタル放送を受信する。電子クーポン利用プログラム保持部１２は、地上デジタル放送のデータ放送に付加されたクーポン情報の中から、取得を希望するクーポンの情報をクーポン記憶部１７に保持させ、保持したクーポン識別子とそれに対応する放送識別子を電子クーポン管理サーバ２０に送信するための電子クーポン利用プログラムを保持する。表示部１３は、地上デジタル放送の情報を表示する。入力部１４は、消費者からの入力を受け付ける。
【００２０】
データ放送記憶部１５には、放送／送出システム３０から受信したデータ放送のクーポン情報が記憶される。なお、データ放送記憶部１５に記憶される情報は、データ放送受信を行う都度、書き換えられるものである。また、データ放送記憶部１５に記憶される情報としては、たとえば図２（ａ）にように、データ放送を識別する放送ＩＤ１５１、データ放送に付加されたクーポンを識別するクーポンＩＤ１５２、表示部１３のデータ放送表示エリアに表示されるクーポン一覧のクーポン名１５３、表示部１３のクーポン内容表示エリアに表示されるクーポン内容１５４等である。
【００２１】
携帯電話ＩＤ保持部１６は、図２（ｂ）に示すような携帯電話ＩＤを保持する。クーポン記憶部１７には、データ放送記憶部１５の内、消費者が取得を希望したクーポンの図２（ｃ）に示すようなクーポンＩＤが記憶される。通信部１８は、店舗の店舗システム４０と通信し、情報を送受信する。
【００２２】
電子クーポン管理サーバ２０は、電子クーポン管理プログラム保持部２１、データ放送スケジュールＤＢ２２、クーポン情報ＤＢ２３、クーポン配信管理ＤＢ２４、クーポン実績管理ＤＢ２５を備えている。
【００２３】
電子クーポン管理プログラム保持部２１は、クーポン情報付きデータ放送の放送スケジュールやクーポン情報を登録し、放送／送出システム３０と通信してクーポン情報付きデータ放送の情報を送信し、携帯電話１０と通信して消費者が取得を希望したクーポンの識別子を受け取り、店舗システム４０と通信して消費者のクーポン利用状況を収集するための電子クーポン管理プログラムを保持している。
【００２４】
データ放送スケジュールＤＢ２２は、クーポン情報付きデータ放送の放送スケジュールを保持する。また、データ放送スケジュールＤＢ２２に保持される情報としては、図３（ａ）に示すように、データ放送を識別する放送ＩＤ２２１、データ放送を行う放送局を識別する放送局ＩＤ２２２、データ放送の放送開始日時２２３、データ放送の放送終了日時２２４等である。なお、放送ＩＤ２２１は、スケジュール登録時に割り当てられるデータ放送毎のユニークな番号となる。
【００２５】
クーポン情報ＤＢ２３は、クーポンの名称やサービス内容等を保持する。なお、クーポン情報ＤＢ２３に登録する内容は、クーポンが利用できる店舗における店舗システム４０のクーポン情報ＤＢ４２と同一の情報であることが前提である。また、クーポン情報ＤＢ２３に保持される情報としては、図３（ｂ）に示すように、クーポンを識別するクーポンＩＤ２３１、クーポンのサービス対象となる商品を識別する商品ＩＤ２３２、データ放送でクーポンの名称を表示するためのクーポン名２３３、クーポンの店舗での利用期限２３４、クーポンの利用が可能な利用店舗リスト２３５、クーポンの内容説明を表示するためのクーポン内容２３６等である。
【００２６】
クーポン配信管理ＤＢ２４は、放送スケジュールとクーポン情報の関連付けを保持する。なお、放送スケジュールとクーポン情報の関連付けにおいては、クーポン一覧としてデータ放送を送出することを想定しているため、一つの放送ＩＤに対して複数のクーポンＩＤが関連付けられる。また、クーポン配信管理ＤＢ２４に保持される情報としては、図３（ｃ）に示すように、データ放送を識別する放送ＩＤ２４１、上記放送ＩＤに対応するデータ放送にて配信するクーポンを識別するクーポンＩＤ２４２等である。
【００２７】
クーポン実績管理ＤＢ２５は、携帯電話毎のクーポンの取得状況や利用状況を保持する。また、クーポン実績管理ＤＢ２５に保持される情報としては、図３（ｄ）に示すように、携帯電話１０或いは店舗システム４０から受信した、クーポンを取得・利用した消費者の携帯電話を識別する携帯電話ＩＤ２５１、携帯電話１０から受信した、消費者が取得したクーポンを放送したデータ放送を識別する放送ＩＤ２５２、携帯電話１０或いは店舗システム４０から受信した、消費者が取得・利用したクーポンを識別するクーポンＩＤ２５３、携帯電話１０から受信した、消費者がクーポンを取得したことを通知した日時を保持する取得日時ＩＤ２５４、店舗システム４０から受信した、消費者が店舗でクーポンを利用した日時を保持する利用日時ＩＤ２５５、店舗システム４０から受信した、消費者がクーポンを利用した店舗を識別する店舗ＩＤ２５６等である。
【００２８】
放送／送出システム３０は、クーポン付き地上デジタル放送の製作・送出を行うものであり、地上デジタル放送の送出を行う送出器３１を備えている。ここで、本発明は携帯機器向け地上デジタル放送の送受信の通信方式に関する発明ではないため、本実施例においては地上デジタル放送の視聴機能の実現に必要な他の構成要素については言及しないが、地上デジタル放送や衛星デジタル放送、ＩＰ放送等の放送通信技術でもかまわない。また、データ放送用の送出データの編集・加工等の処理に関しては別途送出システムを想定すればよい。
【００２９】
店舗システム４０は、店舗にて決済やクーポンの利用管理を行うものであり、販売管理プログラム保持部４１、クーポン情報ＤＢ４２、クーポン利用履歴ＤＢ４３、店舗ＩＤ保持部４４、入力部４５、通信部４６を備えている。
【００３０】
販売管理プログラム保持部４１は、商品の購入情報の管理や、携帯電話１０と通信して携帯電話ＩＤやクーポンＩＤの受信とクーポン情報の更新要求を送信し、クーポンサービスを実施するための販売管理プログラムを保持する。
【００３１】
クーポン情報ＤＢ４２は、該当店舗にて利用できるクーポンの情報を保持する。また、クーポン情報ＤＢ４２に保持される情報としては、図４（ａ）に示すように、電子クーポン管理サーバ２０から受信した、クーポンを識別するクーポンＩＤ４２１、電子クーポン管理サーバ２０から受信した、クーポンのサービス対象となる商品を識別する商品ＩＤ４２２、電子クーポン管理サーバ２０から受信した、クーポンの店舗での利用期限４２３等である。
【００３２】
クーポン利用履歴ＤＢ４３は、消費者がクーポンを利用した際の履歴を保持する。また、クーポン利用履歴ＤＢ４３に保持される情報としては、図４（ｂ）に示すように、携帯電話１０から受信した、クーポンを利用した消費者の携帯電話を識別する携帯電話ＩＤ４３１、携帯電話１０から受信した、消費者が利用したクーポンを識別するクーポンＩＤ４３２、携帯電話１０から受信した、消費者がクーポンを取得したことを通知した日時を保持する取得日時ＩＤ４３３、消費者が購入した商品を識別する商品ＩＤ４３４、消費者の特性を把握するための性別４３５、消費者の特性を把握するための世代４３６等である。
【００３３】
店舗ＩＤ保持部４４は、店舗の識別子を示す図４（ｃ）のような店舗ＩＤを保持する。入力部４５は、店舗の店員からの入力を受け付ける。通信部４６は、携帯電話１０と通信し、情報を送受信する。
【００３４】
ここで、携帯電話１０を用いた電子決済の実現には、消費者の持つ携帯電話１０と店舗に設置する店舗システム４０との間での情報のやりとりが必要である。ここでは、携帯電話１０と店舗の店舗システム４０は、それぞれの通信部（通信部１８と通信部４６）の間で情報の送受信を行うものとする。
【００３５】
本実施形態では、その通信方式として、既存の技術である非接触ＩＣカードとその読み書き装置との間の通信方式のようなものを想定するが、他の方式でも構わない。また、本発明は、電子決済の方法についてのものではないため、電子決済機能の実現に必要な他の構成要素については言及しないが、携帯電話１０を用いて電子決済を行うの通信方式と同じ方式を用いることができる。
【００３６】
また、通信路５０、通信路６０、通信路７０については、携帯電話網、インターネット、ＬＡＮ、又はそれらの組み合わせ等の通信路を用いることができる。これらは既存の技術でも構わないため、携帯電話１０、電子クーポン管理サーバ２０、放送／送出システム３０、店舗システム４０の構成要素としての通信機能部分は省略するものとする。また、上述した放送ＩＤ、クーポンＩＤ、携帯電話ＩＤ、店舗ＩＤは、同じ識別子が用いられるものとする。
【００３７】
次に、クーポン配布方法について説明する。なお、以下の説明においては、上述したように、消費者が、携帯電話１０で地上デジタル放送を視聴した後、コンビニエンスストアで利用できるクーポンを取得し、携帯電話１０の電子決済機能を用いて店舗でクーポンを利用するものとする。
【００３８】
まず、図５に示すように、クーポンを配信するデータ放送のスケジュール登録の際、携帯機器向け地上デジタル放送を行う放送局の担当者が、通信路６０を通じて、電子クーポン管理プログラムを作動し、放送局ＩＤ、放送開始日時、放送終了日時等を入力する（ステップＳ１）。
【００３９】
次いで、電子クーポン管理プログラム保持部２１に保持されている電子クーポン管理プログラムが実行されることで、放送ＩＤ２１１が設定され、入力された放送スケジュール情報がデータ放送スケジュールＤＢ２２に登録される（ステップＳ２）。
【００４０】
ここで、電子クーポン管理プログラム保持部２１に保持されている電子クーポン管理プログラムが実行されることで、データ放送スケジュールＤＢ２２に登録された放送ＩＤが取得される（ステップＳ３）。
【００４１】
また、電子クーポン管理プログラム保持部２１に保持されている電子クーポン管理プログラムが実行されることで、放送局の担当者に放送ＩＤが通信路６０を通じて通知される（ステップＳ４）。
【００４２】
次に、データ放送で送出するクーポン情報を登録する際、次のような処理が行われることで、地上デジタル放送のデータ放送で配信するクーポンデータが確定することになる。なお、クーポン一覧としてデータ放送を送出することを想定しているため、一つの放送ＩＤに対して複数のクーポンＩＤを関連付けることを可能とする。また、一つのクーポンＩＤが複数の放送ＩＤに関連することも可能とする。
【００４３】
すなわち、電子クーポン発行依頼者は、クーポン発行依頼のために、電子クーポン管理プログラム保持部２１に保持されている電子クーポン管理プログラムが実行されることで、クーポンＩＤ、商品ＩＤ、クーポン名、利用機嫌、利用店舗リスト、クーポン内容を示すクーポン情報が入力される（ステップＳ５）。
【００４４】
また、その電子クーポン管理プログラムが実行されることで、入力されたクーポン情報がクーポン情報ＤＢ２３に登録される（ステップＳ６）。また、その電子クーポン管理プログラムが実行されることで、データ放送スケジュールＤＢ２２からスケジュールが取得される（ステップＳ７）。また、その電子クーポン管理プログラムが実行されることで、データ放送スケジュールが電子クーポン発行依頼者に送信され、登録されたクーポンの放送予約の入力が促がされる（ステップＳ８）。
【００４５】
次いで、電子クーポン発行依頼者は、登録されたクーポンをデータ放送するために、クーポンを配布したいデータ放送の放送ＩＤを入力する（ステップＳ９）。このとき、電子クーポン管理プログラム保持部２１に保持されている電子クーポン管理プログラムが実行されることで、クーポン配信管理ＤＢ２４に入力された放送ＩＤとクーポンＩＤとが登録される（ステップＳ１０）。
【００４６】
次に、クーポン情報付きデータ放送の送出を行う際に、次のような処理が行われる。ここで、下記に記載の放送局担当者が行う、データ放送のデータ編集や送出等は別途システムで行うことを想定している。この動作により、消費者はクーポンの発行依頼やデータのダウンロードが不要となり、携帯電話１０による地上デジタル放送の視聴と同時に、携帯電話１０の記憶領域に直接書き込み可能なクーポンデータを取得することが可能になる。
【００４７】
すなわち、図６に示すように、放送局担当者が電子クーポン管理プログラム保持部２１に保持されている電子クーポン管理プログラムを実行すると、クーポン情報付きデータ放送を行う放送の識別子である放送ＩＤが入力される（ステップＳ１１）。
【００４８】
また、その電子クーポン管理プログラムの実行により、データ放送スケジュールＤＢ２２から、入力した放送ＩＤに対応する放送スケジュールが取得される（ステップＳ１２）。また、その電子クーポン管理プログラムの実行により、クーポン配信管理ＤＢ２４から、入力した放送ＩＤに対応するクーポンＩＤが取得される（ステップＳ１３）。
【００４９】
また、その電子クーポン管理プログラムの実行により、クーポン情報ＤＢ２３から、クーポンＩＤに対応するクーポンのクーポン名、クーポン内容等が取得される（ステップＳ１４）。また、その電子クーポン管理プログラムの実行により、放送局担当者に、データ放送を送出する際に必要な情報として、放送ＩＤに対応したクーポンＩＤ、クーポン名、クーポン内容が通知される（ステップＳ１５）。
【００５０】
ここで、放送局担当者は、通知されたクーポンに関する情報から、データ放送のコンテンツを編集し、送出器３１を通じて携帯電話１０の受信器１１に向け電波を送出する（ステップＳ１６）。
【００５１】
一方、携帯電話１０側では、受信器１１でデータ放送を受信すると、データ放送記憶部１５にデータ放送の内容が一旦記憶される（ステップＳ１７）。データ放送記憶部１５に記憶された情報は次のデータ放送を受信するまで更新されない。
【００５２】
また、放送局担当者が携帯電話１０に対してデータ放送の画面表示要求を送出する（ステップＳ１８）。このとき、携帯電話１０側ではデータ放送記憶部１５からクーポン名１５３が取得される（ステップＳ１９）。
【００５３】
このとき、表示部１３のデータ放送表示エリアに図１０（ａ）に示すようなクーポン名１５３のクーポン一覧が表示される（ステップＳ２０）。
【００５４】
次に、消費者がクーポンを取得する際、次のような処理が行われる。すなわち、図７に示すように、消費者が、携帯電話１０の入力部１４を用いてクーポン一覧の中から、取得を希望するクーポンを選択し、電子クーポン利用プログラム保持部１２に保持されている電子クーポン利用プログラムを実行する（ステップＳ２１）。
【００５５】
電子クーポン利用プログラムの実行により、データ放送記憶部１５から、クーポンＩＤ１５２に対応した放送ＩＤ１５１とクーポン内容１５４とが取得される（ステップＳ２２）。また、その電子クーポン利用プログラムの実行により、表示部１３に図１０（ｂ）に示すようなクーポン内容１５４が表示され、消費者にクーポンの取得が促がされる（ステップＳ２３）
【００５６】
ここで、消費者が、入力部１４を用いてクーポン取得を選択すると（ステップＳ２４）、その電子クーポン利用プログラムの実行により、選択したクーポン情報のクーポンＩＤ１５２がクーポン記憶部１７に登録される（ステップＳ２５）。
【００５７】
また、その電子クーポン利用プログラムの実行により、携帯電話ＩＤ保持部１６に保持されている携帯電話ＩＤが取得され（ステップＳ２６）、電子クーポン管理サーバ２０の電子クーポン管理プログラムに通信路５０を介して、携帯電話ＩＤ、放送ＩＤ１５１、クーポンＩＤ１５２が送信される（ステップＳ２７）。
【００５８】
そして、電子クーポン管理サーバ２０側では、電子クーポン管理プログラムの実行により、クーポン実績管理ＤＢ２５に、携帯電話１０から送信されたデータと、取得日時と登録される（ステップＳ２８）。
【００５９】
次に、消費者がクーポンを利用する際に、次のような処理が行われる。すなわち、図８に示すように、店舗の従業員が、店舗システム４０の入力部４５を利用して、購買時の商品ＩＤ４２２と、消費者の特性を示す性別４３５や世代４３６等の情報を入力する（ステップＳ２９）。
【００６０】
次いで、消費者が、店舗システム４０の通信部４６に携帯電話１０をかざすと（ステップＳ３０）、販売管理プログラム保持部４１に保持されている販売管理プログラムの実行により、携帯電話ＩＤとクーポンＩＤ１５２の取得要求が通信部４６を通じて、携帯電話１０の通信部１８に送信される（ステップＳ３１）。
【００６１】
このとき、携帯電話１０側では、クーポン記憶部１７からのクーポンＩＤと携帯電話ＩＤ保持部１６からの携帯電話ＩＤとが取得される（ステップＳ３２，Ｓ３３）。
【００６２】
一方、店舗システム４０側では、販売管理プログラムの実行により、携帯電話１０の通信部１８と通信部４６とを通じて、消費者の携帯電話ＩＤと保有するクーポンＩＤとが取得される（ステップＳ３４）。
【００６３】
また、販売管理プログラムの実行により、クーポン情報ＤＢ４２のクーポンＩＤ４２１と、携帯電話１０から取得したクーポンＩＤとが照合され、店舗で利用できるクーポンか否かが判断される（ステップＳ３５）。
【００６４】
ここで、消費者が保有するクーポンが当該店舗で利用できると判断された場合、販売管理プログラムの実行により、店舗の従業員に対し消費者にクーポンを利用するかどうかの確認を行うように促される（ステップＳ３６）。
【００６５】
そして、店舗の従業員は、消費者からクーポン利用の確認がとた場合、入力部４５を利用してクーポンの利用を選択する（ステップＳ３７）。このとき、販売管理プログラムの実行により、通信部４６を通じて、携帯電話１０の通信部１８に、クーポン情報を使用済みに更新する要求が送信される（ステップＳ３８）。
【００６６】
このとき、携帯電話１０側では、クーポン記憶部１７の利用したクーポンの情報が使用済みとして更新される（ステップＳ３９）。
【００６７】
また、店舗システム４０側では、販売管理プログラムの実行により、クーポン利用履歴ＤＢ４３に、携帯電話ＩＤ４３１、クーポンＩＤ４３２、利用日時４３３、商品ＩＤ４３４、性別４３５、世代４３６等が登録される（ステップＳ４０）。
【００６８】
次に、消費者がクーポンを利用する際に、次のような処理が行われる。すなわち、図９に示すように、店舗システム４０側では、販売管理プログラムの実行により、電子クーポン管理サーバ２０へのクーポン利用履歴の送信が要求される（ステップＳ４１）。
【００６９】
そして、店舗ＩＤが取得されると（ステップＳ４２）、クーポン利用履歴ＤＢ４３から携帯電話ＩＤ４３１、クーポンＩＤ４３２、利用日時４３３、商品ＩＤ４３４、性別４３５、世代４３６等の情報が取得される（ステップＳ４３）。
【００７０】
また、販売管理プログラムの実行により、通信路７０を通じて、電子クーポン管理サーバ２０側に店舗ＩＤ、携帯電話ＩＤ、クーポンＩＤ、利用日時、商品ＩＤ、性別情報、世代情報等の情報が送信される（ステップＳ４４）。
【００７１】
電子クーポン管理サーバ２０側では、電子クーポン管理プログラムの実行により、受信した携帯電話ＩＤとクーポンＩＤとをキーに、店舗ＩＤ、利用日時、商品ＩＤ、性別、世代等の情報とともに、クーポン実績管理ＤＢ２５の内容が更新される（ステップＳ４５）。
【００７２】
このように、本実施例では、携帯端末としての携帯電話１０により、放送／送出システム３０からのクーポン情報付きデータ放送を受信してクーポン情報を取得し、店舗システム４０で通信によりクーポン情報を渡すことでそのクーポン情報の利用が可能となるようにした。
【００７３】
これにより、クーポン発行依頼主は、地上デジタル放送の電波を通し、同時に不特定多数の消費者に対してクーポンを配布できる。
【００７４】
また、消費者は、クーポンをダウンロードするインターネットサイトへアクセスするまでの通信や、クーポンをダウンロードするための通信を行わずに、携帯電話１０で地上デジタル放送を視聴するだけで、携帯電話１０の電子決済等で利用する記憶領域に直接書き込み可能なクーポンデータを取得でき、複雑の処理手順を踏まなくてもクーポンのサービスを極めて簡単に受けることができる。
【００７５】
また、クーポン管理者にとっては、店舗システム４０を介して得られる携帯電話１０からの携帯電話ＩＤ２５１、放送ＩＤ２５２、クーポンＩＤ２５３のみを収集することで、クーポンの取得状況を容易に把握することができる。
【００７６】
また、クーポン管理者にとっては、携帯電話１０からのクーポン取得のためのアクセスが不要となり、クーポンサービス告知後のアクセス集中等によるサーバアクセス負荷を低減することができる。
【００７７】
また、クーポン管理者にとっては、データ放送毎のクーポンの取得状況や、店舗でのクーポン利用実績を収集することで、放送の広告効果やクーポンの販売促進効果を容易に把握することができ、さらには店舗システム４０を利用する性別や世代等の購入者属性と合わせて分析することで、購入商品に対する顧客特性をも収集することができる。
【００７８】
また、放送局側においては、クーポン管理者からのクーポン利用実績を受け取ることで、消費者の視聴動向を容易に把握するできる。
【００７９】
なお、本実施例では、携帯電話１０の通信部１８と店舗システム４０の通信部４６との間での通信により、クーポン情報等のやり取りが行われる場合について説明したが、この例に限らず、その通信をケーブル接続や赤外線装置等による他のインタフェースや通信方式としてもよい。
【００８０】
また、本実施例では、携帯電話１０にクーポン情報を配布した場合について説明したが、この例に限らず、少なくとも携帯電話公衆網への接続機能と、携帯機器向け地上デジタル放送受信器能と、電子決済等が可能な非接触型ＩＣカード等の記憶領域を備えたものであればよく、たとえばＰＤＡ等の携帯端末を用いてもよい。
【００８１】
また、本実施例では、携帯電話１０で取得したクーポン情報を店舗システム４０に単に渡す場合について説明したが、この例に限らず、店舗システム４０にクーポン情報を渡す度に携帯電話１０の記憶領域にスタンプ情報が付加されていくコマーシャル等の広告情報に応じた番組スタンプラリーのような使用も可能である。
【産業上の利用可能性】
【００８２】
携帯機器向け地上デジタル放送によるクーポン配布に限らず、衛星デジタル放送、或いはＩＰ放送やインターネット放送等によるクーポン配布にも適用可能である。また、クーポン配布に限らず、電子チケット販売を行うシステムにも適用可能である。
【図面の簡単な説明】
【００８３】
【図１】本発明のクーポン配布システムの一実施例を示す図である。
【図２】図１の携帯電話側に記憶される情報を説明するための図である。
【図３】図１の電子クーポン管理サーバ側に記憶される情報を説明するための図である。
【図４】図１の店舗システム側に記憶される情報を説明するための図である。
【図５】図１のクーポン配布システムおけるクーポン配布方法を説明するためのシーケンス図である。
【図６】図１のクーポン配布システムおけるクーポン配布方法を説明するためのシーケンス図である。
【図７】図１のクーポン配布システムおけるクーポン配布方法を説明するためのシーケンス図である。
【図８】図１のクーポン配布システムおけるクーポン配布方法を説明するためのシーケンス図である。
【図９】図１のクーポン配布システムおけるクーポン配布方法を説明するためのシーケンス図である。
【図１０】図１の携帯電話での表示内容を説明するための図である。
【図１１】本発明のクーポン配布システムの実施形態を説明するための図である。
【符号の説明】
【００８４】
１０  携帯電話（携帯端末）
１１  受信器（受信手段）
１２  電子クーポン利用プログラム保持部
１３  表示部
１４  入力部
１５  データ放送記憶部（データ放送記憶手段）
１６  携帯電話ＩＤ保持部（携帯端末識別子保持手段）
１７  クーポン記憶部（クーポン記憶手段）
１８  通信部
２０  電子クーポン管理サーバ
２１  電子クーポン管理プログラム保持部
２２  データ放送スケジュールＤＢ
２３  クーポン情報ＤＢ
２４  クーポン配信管理ＤＢ
２５  クーポン実績管理ＤＢ（利用実績保持手段）
３０  放送／送出システム
３１  送出器
４０  店舗システム
４１  販売管理プログラム保持部
４２  クーポン情報ＤＢ
４３  クーポン利用履歴ＤＢ
４４  店舗ＩＤ保持部
４５  入力部
４６  通信部（通信手段）
５０〜７０  通信路
【図１】
2007249342.tif 000003
【図２】
2007249342.tif 000004
【図３】
2007249342.tif 000005
【図４】
2007249342.tif 000006
【図５】
2007249342.tif 000007
【図６】
2007249342.tif 000008
【図７】
2007249342.tif 000009
【図８】
2007249342.tif 000010
【図９】
2007249342.tif 000011
【図１０】
2007249342.tif 000012
【図１１】
2007249342.tif 000013